(57)【要約】【課題】肌になじんで着心地が良く、肌の健康に対して有益な織物組織体を提供する。【解決手段】織物組織体１００は、複数の織物部材１を含む。織物部材１は、コラーゲン繊維部材１１０を含んだ第１の繊維部材１１と、コラーゲン繊維部材１１０を含まない第２の繊維部材１２とを含む。第１の繊維部材１１の外表面と第２の繊維部材１２の外表面とは、長手方向で縫合される。第２の繊維部材１２は、弾性繊維を含む。第１の繊維部材１１と第２の繊維部材１２とは、１：１の割合で縫合される。コラーゲン繊維部材１１０は、コラーゲン分子１１２及び繊維１１１を含む。コラーゲン分子１１２は、繊維１１１の結合部を介して、繊維１１１に結合される。繊維１１１とコラーゲン分子１１２とは、繊維１１１を６０〜７０℃のコラーゲン溶液へ浸漬させて攪拌し、結合させる。第１の繊維部材１１は８〜１２％のコラーゲン分子を含む。【選択図】図１
2014009434.tif 000002
【特許請求の範囲】
【請求項１】
複数の織物部材を含んだ織物組織体であって、
前記織物部材は、コラーゲン繊維部材を含んだ第１の繊維部材と、コラーゲン繊維部材を含まない第２の繊維部材と、を含み、
前記第１の繊維部材の外表面と前記第２の繊維部材の外表面とは、長手方向で縫合されることを特徴とする織物組織体。
【請求項２】
前記第２の繊維部材は、弾性繊維を含むことを特徴とする請求項１に記載の織物組織体。
【請求項３】
前記第１の繊維部材と前記第２の繊維部材とは、１：１の割合で縫合されることを特徴とする請求項１に記載の織物組織体。
【請求項４】
前記コラーゲン繊維部材は、コラーゲン分子及び繊維を含み、
前記コラーゲン分子は、前記繊維の結合部を介して、前記繊維に結合されることを特徴とする請求項１に記載の織物組織体。
【請求項５】
前記繊維と前記コラーゲン分子とは、前記繊維を６０〜７０℃のコラーゲン溶液へ浸漬させて攪拌し、結合させることを特徴とする請求項４に記載の織物組織体。
【請求項６】
前記第１の繊維部材は、８〜１２％のコラーゲン分子を含むことを特徴とする請求項１に記載の織物組織体。
【請求項７】
前記織物部材は、３％未満のコラーゲン分子を含むことを特徴とする請求項１に記載の織物組織体。
【請求項８】
前記繊維はレーヨン繊維であることを特徴とする請求項１に記載の織物組織体。
【発明の詳細な説明】
【技術分野】
【０００１】
本発明は、織物組織体に関し、特に、コラーゲン分子を含む織物組織体に関する。
【背景技術】
【０００２】
織物製品は日常生活で必要不可欠であり、人々は衣服、ズボン、靴下などの織物製品を身に着けることにより、環境又は気候の変化による温度差に対応したり、身体を覆ったり、塵、細菌などが身体に付着することを防いだりすることができる。織物はさらに装飾用として用いることもでき、人々は織物により自分を目立たせたり自身の風格・気品を表現したりすることもできる。そのため、様々な模様、スタイルの織物製品が次々と現れている。
【０００３】
織物製品の材質とその機能とは密接な関係にある。例えば、人工繊維の長所は、安価で、洗浄が容易であり、水により収縮し難いことであるが、環境を汚染させ、吸水し難く、肌になじみ難いため触った感触が理想的でない。一方、植物繊維材の長所は、吸水し易く、柔らかいことであるが、洗浄後、皺になり易くて耐熱性に劣る。動物繊維材の長所は、保温性に優れ、弾性を有し、皺になり難く、吸水し易く、染色が容易である点であるが、動物繊維材を用いて織物製品を作るには、動物の毛を多く使用する必要があるため高価であった。
【先行技術文献】
【特許文献】
【０００４】
【特許文献１】特開２００９−２２１６５１号公報、要約
【発明の概要】
【発明が解決しようとする課題】
【０００５】
繊維産業において、研究開発者は織物製品の品質を向上させるために日々努力しているが、織物製品の肌へのなじみが依然として理想的ではなかった。織物製品が身体に長時間触れると、アレルギーによる影響が肌に生じることがあるため注意が必要である。衣類などの織物製品は、体を保温したり覆ったり着飾ったりするために用いる以外に、肌の健康に対しても良い効果を付与することができる場合、理想的である。
そのため、本発明の目的は、肌になじんで着心地が良く、肌の健康に対して有益な織物組織体を提供することにある。
【課題を解決するための手段】
【０００６】
上記課題を解決するために、本発明の第１の形態によれば、複数の織物部材を含んだ織物組織体であって、前記織物部材は、コラーゲン繊維部材を含んだ第１の繊維部材と、コラーゲン繊維部材を含まない第２の繊維部材と、を含み、前記第１の繊維部材の外表面と前記第２の繊維部材の外表面とは、長手方向で縫合されることを特徴とする織物組織体が提供される。
【０００７】
前記第２の繊維部材は、弾性繊維を含むことが好ましい。
【０００８】
前記第１の繊維部材と前記第２の繊維部材とは、１：１の割合で縫合されることが好ましい。
【０００９】
前記コラーゲン繊維部材は、コラーゲン分子及び繊維を含み、前記コラーゲン分子は、前記繊維の結合部を介して、前記繊維に結合されることが好ましい。
【００１０】
前記繊維と前記コラーゲン分子とは、前記繊維を６０〜７０℃のコラーゲン溶液へ浸漬させて攪拌し、結合させることが好ましい。
【００１１】
前記第１の繊維部材は、８〜１２％のコラーゲン分子を含むことが好ましい。
【００１２】
前記織物部材は、３％未満のコラーゲン分子を含むことが好ましい。
【００１３】
前記繊維はレーヨン繊維であることが好ましい。
【発明の効果】
【００１４】
ユーザが本発明の織物組織体を身に着けると、コラーゲン分子が肌に触れ、老化を遅らせたり美肌効果を得たり、皺を減らしたりすることができる。また、本発明の織物組織体には、親水性の天然保湿因子が含まれているため、常時肌の潤い感を保ってみずみずしさを保ち、良好な保水効果により肌の美肌効果を得て見た目を健康的にするとともに、肌の張りを良好にして毛穴を小さくし、弾力性を持たせることができる。また、コラーゲン分子を結合させることにより保湿効果を得て、皺の発生を抑え、太い皺を広げて細い皺を目立たなくすることができる上、皮膚細胞の生存環境を改善し、皮膚組織の新陳代謝を促進し、肌に潤いを与えることができる。
【図面の簡単な説明】
【００１５】
【図１】本発明の第１実施形態に係る織物組織体を示す模式図である。
【図２】本発明の第２実施形態に係る織物組織体を示す模式図である。
【図３】本発明の第３実施形態に係る織物組織体を示す模式図である。
【図４】本発明の第３実施形態に係る織物組織体の製造工程を示す流れ図である。
【図５Ａ】本発明の一実施形態に係るコラーゲン溶液を示す模式図である。
【図５Ｂ】本発明の一実施形態に係る繊維をコラーゲン溶液に浸漬したときの状態を示す模式図である。
【図５Ｃ】本発明の一実施形態に係るコラーゲン溶液を攪拌するときの状態を示す模式図である。
【図５Ｄ】本発明の第３実施形態に係る織物組織体の第１の繊維部材を示す模式図である。
【図５Ｅ】本発明の第３実施形態に係る織物組織体の織物部材を示す拡大図である。
【発明を実施するための形態】
【００１６】
以下、本発明の実施形態について図に基づいて説明する。なお、これによって本発明が限定されるものではない。
【００１７】
（第１実施形態）
図１を参照する。図１は、本発明の第１実施形態に係る織物組織体を示す模式図である。本発明の第１実施形態に係る織物組織体１００は、複数の織物部材１を含む。この織物部材１は、コラーゲン繊維部材１１０を含んだ第１の繊維部材１１と、コラーゲン繊維部材を含まない第２の繊維部材１２と、を含む。第１の繊維部材１１の外表面と第２の繊維部材１２の外表面とは、長手方向で縫合される。コラーゲン繊維部材１１０は、繊維１１１及びコラーゲン分子１１２を含む。コラーゲン分子１１２は、細胞外マトリックスのポリマーを構成し、動物細胞中で組織を結合させるために用いる。コラーゲン分子１１２は、肌の各層に必要な栄養を補給して肌のコラーゲン活性を高める繊維蛋白質である。
【００１８】
第１実施形態において、織物組織体１００はズボンである。織物部材１は、織物組織体１００の布材料であり、第１の繊維部材１１及び第２の繊維部材１２は、織物部材１の繊維である。織物組織体１００の第１の繊維部材１１は、コラーゲン分子１１２を含んでいるため、ユーザが織物組織体１００を身に着けると、第１の繊維部材１１に含まれているコラーゲン分子１１２がユーザの肌に触れ、コラーゲン分子１１２の影響により肌が潤い感を得て、美容ケアの効果を得ることができる。
【００１９】
（第２実施形態）
図２を参照する。図２は、本発明の第２実施形態に係る織物組織体を示す模式図である。第２実施形態に係る織物組織体１００ａは、第１実施形態の織物組織体１００と異なり、上半身用服である。
【００２０】
第２実施形態の第２の繊維部材１２は、例えば、ライクラ（ｌｙｃｒａ）（登録商標）繊維である弾性繊維１２１を含む。そのため、織物組織体１００ａが変形することを防ぐことができる上、ユーザが身に着けた際、体にフィットして着心地が良く、皺があっても皺が自然にのびる。また、コラーゲン分子１１２が肌に触れると、肌の美容ケア効果を高めることができる。織物部材１ａは、第１の繊維部材１１に第２の繊維部材１２が巻き付けられて構成され、織物部材１ａ中の第２の繊維部材１２と第１の繊維部材１１との比率は１：１である。
【００２１】
（第３実施形態）
図３を参照する。図３は、本発明の第３実施形態に係る織物組織体を示す模式図である。第３実施形態の織物組織体１００ｂは、ストッキングである。織物組織体１００ｂの織物部材１ｂは、第１の繊維部材１１ｂ、第２の繊維部材１２及び第３の繊維部材１３を含む。第２の繊維部材１２及び第３の繊維部材１３は、第１の繊維部材１１ｂと縫合され、第２の繊維部材１２及び第３の繊維部材１３は、コラーゲン分子繊維部材を含まない繊維部材である。
【００２２】
コラーゲン分子が多すぎる場合、肌にアレルギーが発生する虞があるため、コラーゲン分子量は３％未満であることが好ましい。第３実施形態において、織物組織体１００ｂの織物部材１ｂ中の第１の繊維部材１１ｂ、第２の繊維部材１２及び第３の繊維部材１３の比率（即ち、表面積の比率）が２０：４０：４０（単位）である。第１の繊維部材１１ｂは、８〜１２％のコラーゲン分子１１２を含み、織物部材１ｂは、３％より少ないコラーゲン分子１１２を含む。勿論、第１の繊維部材１１ｂ、第２の繊維部材１２及び第３の繊維部材１３の割合は必要に応じて調整してもよい。
【００２３】
繊維１１１とコラーゲン分子１１２とは、乾燥方式、樹脂成形方式又はその他の方式により結合させてもよい。織物組織体中の繊維１１１とコラーゲン分子１１２とは、結合性を高めるために、本実施形態では以下の方式により製造してもよい。
【００２４】
図４を参照する。図４に示すように、まず、ステップＳ１において６０〜７０℃のコラーゲン溶液Ｓを準備する。コラーゲン溶液Ｓは、様々なコラーゲン分子１１２が溶解されて生成された溶液である（図５Ａ参照）。続いて、ステップＳ２において、繊維１１１をコラーゲン溶液Ｓへ浸漬させる（図５Ｂ参照）。繊維１１１は、第３実施形態ではレーヨン繊維であるが、例えば、綿、麻、ナイロン、羊毛など他の材料からなる繊維でもよい。続いてステップＳ３において、コラーゲン溶液Ｓを攪拌し（図５Ｃ参照）、コラーゲン溶液Ｓ中のコラーゲン分子１１２と繊維１１１とを、結合鍵１１４の結合部１１３により結合させてコラーゲン繊維部材１１０を形成し、第１の繊維部材１１ｂを形成する（図５Ｄ参照）。
【００２５】
第１の繊維部材１１ｂを形成した後、後続の紡績過程を便利に行うことができるように第１の繊維部材１１ｂを乾燥させるが（ステップＳ４）、このステップは必ずしも必要なものではなく、状況に応じて省略してもよい。その後、ステップＳ５において、第２の繊維部材１２及び第３の繊維部材１３を第１の繊維部材１１ｂと縫合して織物部材１ｂを形成する（図５Ｅ参照）。第３実施形態において、第２の繊維部材１２は弾性ライクラ繊維であり、第３の繊維部材１３はナイロン繊維である。この構成により、織物部材１ｂの弾性及び引っ張り強度を高める。勿論、このステップは必ずしも必要ではなく、省略してもよい。
【００２６】
図３を参照する。図３に示すように、ステップＳ６において、複数の織物部材１ｂを織物組織体１００ｂへ結合して製造する。上述の方式により、コラーゲンの効果、弾性及び引っ張り強度を兼ね備えた織物組織体１００ｂを製造するとともに、織物組織体１００ｂが肌に貼り付くと、コラーゲンにより肌の保湿効果を高めることができる。以上の各ステップでは、環境温度又は織物組織体にアイロンをかける際の温度は、織物組織体のコラーゲンが破壊されることを防ぐために、１１０℃を超えないようにする。
【００２７】
上述の実施形態では、織物組織体として衣服、ズボン、ストッキングを例に説明しているが、勿論、本発明の態様はこれだけに限定されるわけではなく、スリーブ、帽子、マウス用マスク、アイマスク、フェイスマスク、フード、下着、各種ソックスなど、様々な物に応用してもよい。
【００２８】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２９】
１  織物部材
１ａ  織物部材
１ｂ  織物部材
１１  第１の繊維部材
１１ｂ  第１の繊維部材
１２  第２の繊維部材
１３  第３の繊維部材
１００  織物組織体
１００ａ  織物組織体
１００ｂ  織物組織体
１１０  コラーゲン繊維部材
１１１  繊維
１１２  コラーゲン分子
１１３  結合部
１１４  結合鍵
１２１  弾性繊維
Ｓ  コラーゲン溶液
【図１】
2014009434.tif 000003
【図２】
2014009434.tif 000004
【図３】
2014009434.tif 000005
【図４】
2014009434.tif 000006
【図５Ａ】
2014009434.tif 000007
【図５Ｂ】
2014009434.tif 000008
【図５Ｃ】
2014009434.tif 000009
【図５Ｄ】
2014009434.tif 000010
【図５Ｅ】
2014009434.tif 000011